(57)【要約】      （修正有）【課題】紙製のカートンにおいて、フラップにつけられた差込部を差し込むことのできる差込スリットの開口を確実にして、容易に差し込むことができ、かつカートンを閉止することのできるカートン用差込スリットを提供する。【解決手段】２枚のフラップを重ね、上側に位置する上側フラップ１１に設けられた差込部１を下側に位置する下側フラップ１０の差込スリット１５に差し込んで閉止するカートン２０の前記差込スリット１５であり、差込スリット本体３と胴部側切り込み４と下フラップ側切り込み５とで構成された差込スリット１５において、前記下フラップ側切り込み５が、差込スリット本体３を対称軸として前記胴部側切り込み４と線対称に配置する。【選択図】図１
2016175698.tif 000002
【特許請求の範囲】
【請求項１】
２枚のフラップを重ね、上側に位置する上側フラップに設けられた差込部を下側に位置する下側フラップの差込スリットに差し込んで閉止するカートン用差込スリットであり、差込スリット本体と胴部側切り込みと下フラップ側切り込みとで構成されたカートン用差込スリットにおいて、
前記差込スリット本体の両端部の外側に折り曲げ罫線が配置されており、かつ、この折り曲げ罫線が下側フラップとカートンの胴部との境界に位置しており、
前記差込スリット本体が前記境界より下側フラップ内側に位置しており、
前記胴部側切り込みが、差込スリット本体の両端部を始点として、前記折り曲げ罫線に達し、かつ、この折り曲げ罫線を越えてカートンの胴部に至るものであり、
前記下フラップ側切り込みが、差込スリット本体を対称軸として前記胴部側切り込みと線対称に配置されたものであることを特徴とするカートン用差込スリット。
【発明の詳細な説明】
【技術分野】
【０００１】
本発明はカートン用差込スリットに関するものである。特に差込スリットに、蓋部または底部のフラップにつけられた差込部を差し込みやすく、同時に差込部が抜けにくい構造を有する、カートン用差込スリットに関するものである。
【背景技術】
【０００２】
大きいものは段ボール箱として、また小さいサイズのものはキャラメルや菓子類の紙箱として用いられるカートンは、価格や箱としての強度において優れておりさまざまな用途に広く普及している。
【０００３】
また紙を素材とすることは、コストの点で有利なほか、商品のイメージや情報を表示したりメーカーのロゴマークなどを印刷する場合には、印刷適性の点で優れている利点を有し、打ち抜きや折り曲げなどの加工性にも優れ、更に廃棄においても焼却しやすいなど環境適合性の点でも優れている。
【０００４】
内容物によってその材質や大きさ、形態、構造も美しくまた扱いやすく工夫がされ、特に食品や菓子類においては、スーパーマーケットやコンビニエンスストアの棚をにぎわしている。
【０００５】
菓子類の紙箱を組み立てる際には、接着剤を使わずに、その蓋部分や底部分において、フラップにつけられた差込部を、スリットに差し込み組み立てる場合も多い。
【０００６】
箱を組み立てる生産性の点からは、フラップにつけられた差込部は、スリットに容易に差し込むことのできる構造でなくてはならず、箱を維持する目的や改竄防止などの目的からは、フラップにつけられた差込部が一旦差し込まれた後は、簡単に抜けては困るという場合がある。
【０００７】
そのため、特許文献１にはフラップにつけられた差込部とフラップの間に切り込み溝を設け、またフラップにつけられた差込部を差し込むことのできる差込スリットを設けて閉止する構造が提案されている。
【０００８】
また特許文献２には、同様の構造を持つ蓋構造で、開封用のジッパーが付いているものの提案がされている。
【０００９】
しかしながらいずれの場合も、実際の組み立てにおいてフラップにつけられた差込部を差し込むためのスリットが十分に開口せず、カートン組み立ての生産性において問題とされる恐れがあった。
【先行技術文献】
【特許文献】
【００１０】
【特許文献１】特許第５３６６３２５号公報
【特許文献２】実用新案登録第３１０２８１１号公報
【発明の概要】
【発明が解決しようとする課題】
【００１１】
本発明はこのような状況に鑑みてなされたものであり、紙製のカートンにおいて、フラップにつけられた差込部を差し込むことのできる差込スリットの開口を確実にして、容易に差し込むことができ、かつカートンを閉止することのできるカートン用差込スリットを提供することを課題とする。
【課題を解決するための手段】
【００１２】
上記の課題を解決するための手段として、請求項１に記載の発明は、２枚のフラップを重ね、上側に位置する上側フラップに設けられた差込部を下側に位置する下側フラップの差込スリットに差し込んで閉止するカートン用差込スリットであり、差込スリット本体と胴部側切り込みと下フラップ側切り込みとで構成されたカートン用差込スリットにおいて、前記差込スリット本体の両端部の外側に折り曲げ罫線が配置されており、かつ、この折り曲げ罫線が下側フラップとカートンの胴部との境界に位置しており、前記差込スリット本体が前記境界より下側フラップ内側に位置しており、前記胴部側切り込みが、差込スリット本体の両端部を始点として、前記折り曲げ罫線に達し、かつ、この折り曲げ罫線を越えてカートンの胴部に至るものであり、前記下フラップ側切り込みが、差込スリット本体を対称軸として前記胴部側切り込みと線対称に配置されたものであることを特徴とするカートン用差込スリットである。
【発明の効果】
【００１３】
フラップにつけられた差込部を差し込むことのできる差込スリットの開口を確実にして、容易に差し込むことができ、かつカートンを閉止することのできるカートン用差込スリットを提供することができる。
【図面の簡単な説明】
【００１４】
【図１】図１は本発明に係るカートン用差込スリットの一実施形態の平面展開模式図である。
【図２】図２は本発明に係るカートン用差込スリットの一実施形態のスリット部分の部分拡大図である。
【図３】図３は本発明に係るカートン用差込スリットの一実施形態の斜視模式図である。
【図４】図４は本発明に係るカートン用差込スリットの一実施形態を、フラップ上面から見た平面模式図である。
【発明を実施するための形態】
【００１５】
以下本発明を実施するための形態について、図を参照しながら詳細な説明を加える。但し本発明は、これらの例にのみ限定されるものではない。
【００１６】
図１は本発明に係るカートン用差込スリットの一実施形態の平面展開模式図である。また図２は本発明に係るカートン用差込スリットの一実施形態のスリット部分の部分拡大図である。
【００１７】
これらの図で示す例においては、カートン閉止のためのフラップは、下側フラップ（１０）および上側フラップ（１１）とから構成される。すなわち、カートンの閉止はこれら２枚のフラップが重なって蓋部あるいは底部を形成する。
【００１８】
カートン（２０）の閉止は、上側フラップ（１１）に設けた差込部（１）、および下側フラップ（１０）に設けた紙基材を貫通する差込スリット（１５）によって行なうことができる。この閉止構造はカートンの蓋部であってもよく底部であってもよい。
【００１９】
差込部（１）は上側フラップ（１１）と差込部折り曲げ線（１２）を介して連続しており、差込部（１）の差込部折り曲げ線（１２）に接する両端部には、両側から内側に食い込む形のくびれ（２）を設けてある。くびれによって差込部（１）の両端は突き出た形の
爪（１４）を有することになり、この爪（１４）によって、差込部（１）を差込スリット（１５）に差し込んだのち、差込部（１）の戻りを防いで、閉止を確実にすることが可能になる。
【００２０】
差込スリット本体（３）は、下側フラップ（１０）に連続する胴部（７）との境界の近傍で、下側フラップ（１０）側に設けられる。下側フラップ（１０）に連続する胴部（７）との境界は折り曲げ罫線（６）である。したがって折り曲げ罫線（６）を内側に延長した線より、下側フラップ（１０）側に折り曲げ罫線（６）と平行な方向に設ける。
【００２１】
折り曲げ罫線（６）は差込スリット（１５）のある中央部には設けてなく、下側フラップ（１０）側に設けた差込スリット本体（３）の２箇所の差込スリット本体端部（９）から胴部（７）に向かって広がる形の胴部側切り込み（４）の途中で折り曲げ罫線（６）に接続している。同時にさらに胴部側切り込み（４）は胴部側にまで延長されている。
【００２２】
下側フラップ（１０）側に設けた差込スリット本体（３）の２箇所の差込スリット本体端部（９）からは、胴部側切り込み（４）とは、差込スリット本体（３）を対称軸として線対称の位置に、下フラップ側切り込み（５）が２箇所設けてある。
【００２３】
図３は本発明に係るカートン用差込スリットの一実施形態の斜視模式図である。また図４は本発明に係るカートン用差込スリットの一実施形態を、フラップ上面から見た平面模式図である。
【００２４】
下側フラップ（１０）と胴部（７）の境界の折り曲げ線（６）をカートン組み立てのために山折した場合には、胴部（７）は、差込スリット本体（３）が下になる側のフラップ（１０）側にずれて入り込んでいる分、折り曲げ罫線（６）から飛び出た形になる。
【００２５】
逆に下側フラップ（１０）側には、飛び出た部分（８）が胴部側にある分、フラップ側には差込スリット（１５）の開口部（１３）が形成される。また、差込スリット本体（３）に接続した下フラップ側切り込み（５）があることによって、折り曲げ罫線（６）を山折したときに、この飛び出た部分（８）と差込スリット（１５）の開口部（１３）の形成をより容易かつ確実にすることができる。
【００２６】
この効果は、下フラップ側切り込み（５）を設けることにより、飛び出た部分（８）と開口部（１３）の形成を、ストレスなくより容易にすることができるため、カートン（２０）の組み立てにおいて差込スリット（１５）の開口不全を防止することができ、この開口によって差込部の挿入が容易になり、カートン組み立ての生産性の向上に寄与するものである。
【００２７】
また飛び出た部分（８）が開口部（１３）の胴部片側に形成されることによって、差込部（１）を開口部（１３）に確実に誘導することが可能になる。飛び出た部分（８）が当て板となり差込部（１）を、差込スリット（１５）の開口部（１３）に誘導することができるためである。これもまたカートン（２０）の組み立てに於いて生産性の向上に寄与する。
【００２８】
さらに差込部（１）が差し込まれた後は、差込部（１）に設けられた、くびれ（２）で形成される爪（１４）によって、差込部（１）は戻ることなく固定され、閉止が維持される。
【００２９】
この爪（１４）による差込部（１）の固定および閉止の維持は、下フラップ側切り込み（５）を設けた場合においても、差込部（１）と下フラップ側切り込み（５）は接触して
ないため、直接影響を受けることはない。
【００３０】
このように、本発明によれば、紙製のカートンにおいて、フラップにつけられた差込部を差し込むことのできる差込スリットの開口を確実にして、容易に差し込むことができ、かつカートンを閉止することのできるカートン用差込スリットを提供することが可能である。
【符号の説明】
【００３１】
１・・・差込部
２・・・くびれ
３・・・差込スリット本体
４・・・胴部側切り込み
５・・・下フラップ側切り込み
６・・・折り曲げ罫線
７・・・胴部
８・・・飛び出た部分
９・・・差込スリット本体端部
１０・・・下側フラップ
１１・・・上側フラップ
１２・・・差込部折り曲げ線
１３・・・開口部
１４・・・爪
１５・・・差込スリット
２０・・・カートン
【図１】
2016175698.tif 000003
【図２】
2016175698.tif 000004
【図３】
2016175698.tif 000005
【図４】
2016175698.tif 000006